(57)【特許請求の範囲】
【請求項１】
中空内部を有し、クラウン、ソール及び打球プレートを有するボディを備えるゴルフクラブヘッドであって、
該ゴルフクラブヘッドは、３００ｃｍ３〜６００ｃｍ３の範囲の体積を持ち、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００g−ｃｍ２未満の絶対値を持つゴルフクラブヘッド。
【請求項２】
ゴルフクラブヘッドの重心を通る垂直Ｚ軸の回りの慣性モーメントIzz は３０００ｇ−ｃｍ２を超える請求項１に記載のゴルフクラブヘッド。
【請求項３】
ボディはプリプレグ材料プライの複数の層から成る請求項１に記載のゴルフクラブヘッド。
【請求項４】
ゴルフクラブヘッドの慣性乗積Ixy,、Ixz及び Iyzの各々は５０ｇ−ｃｍ２未満の絶対値を有する請求項１に記載のゴルフクラブヘッド。
【請求項５】
ボディは、チタニウム、チタニウム合金、スチール、ステンレススチール及びアモルファス金属からなる群から選択される材料から成る請求項１に記載のゴルフクラブヘッド。
【請求項６】
高密度化フィルム、銅、タングステン及びビスマスの群から選択される材料からなる重りストリップをさらに有する請求項３に記載のゴルフクラブヘッド。
【請求項７】
ゴルフクラブヘッドの重心を通る垂直Ｚ軸の回りの慣性モーメントIzz は３５００ｇ−ｃｍ２〜５０００ｇ−ｃｍ２の範囲である請求項１に記載のゴルフクラブヘッド。
【請求項８】
ゴルフクラブヘッドの重心を通る水平Ｙ軸の回りの慣性モーメントIyy は少なくとも１９００ｇ−ｃｍ２である請求項１に記載のゴルフクラブヘッド。
【請求項９】
ゴルフクラブヘッドは３５０ｃｍ３〜５２５ｃｍ３の範囲の体積を有する請求項１に記載のゴルフクラブヘッド。
【請求項１０】
ゴルフクラブヘッドは１５０ｇ〜２５０ｇの重量を有する請求項１に記載のゴルフクラブヘッド。
【請求項１１】
ゴルフクラブヘッドの重心を通る水平軸Ｙの回りの慣性モーメントIyy は１９００ｇ−ｃｍ２〜２０５０g−ｃｍ２の範囲である請求項１に記載のゴルフクラブヘッド。
【請求項１２】
ゴルフクラブヘッドの重心を通り垂直軸Ｚの回りの慣性モーメントIzz は３７００ｇ−ｃｍ２〜５０００ｇ−ｃｍ２の範囲である請求項１に記載のゴルフクラブヘッド。
【請求項１３】
フェース、ソール、クラウン、ソールとクラウンに並列するリボン及びトオエンドを有するボディと、
合成材料より大きい密度を有する材料から成り、前記リボンの上に配置される複数の重りストリップを有し、
ゴルフクラブヘッドは、３００ｃｍ３〜６００ｃｍ３の範囲の体積を持ち、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１４】
中空内部を有し、クラウン、ソール及び打球プレートを有ボディを備えるゴルフクラブヘッドであって、
ゴルフクラブヘッドは、ゴルフクラブヘッドの重心を通り垂直軸Ｚの回りの慣性モーメントIzz は３０００ｇ−ｃｍ２〜５０００ｇ−ｃｍ２の範囲であり、ゴルフクラブヘッドの重心を通る水平軸Ｙの回りの慣性モーメントIyy は１９００ｇ−ｃｍ２〜２０５０ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１５】
チタニウム合金から成り、クラウン、ソール及び打球プレートと中空内部を有し、質量が２５０ｇ未満のボディと、
前記ボディの中空内部内に配置され、総重量が８５ｇ未満である複数の重り部材とを備えるゴルフクラブヘッドであって、
ゴルフクラブヘッドは、ゴルフクラブヘッドの重心を通り垂直軸Ｚの回りの慣性モーメントIzz は３０００ｇ−ｃｍ２〜５０００ｇ−ｃｍ２の範囲であり、ゴルフクラブヘッドの重心を通る水平軸Ｙの回りの慣性モーメントIyy は１９００ｇ−ｃｍ２〜２０５０ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１６】
スチール合金材料から成り、クラウン、ソール及び打球プレートと中空内部を有するボディと、
前記ボディの中空内部内に配置され、総重量が８５ｇ未満である複数の重り部材とを備えるゴルフクラブヘッドであって、
ゴルフクラブヘッドは、ゴルフクラブヘッドの重心を通り垂直軸Ｚの回りの慣性モーメントIzz は３０００ｇ−ｃｍ２〜５０００ｇ−ｃｍ２の範囲であり、ゴルフクラブヘッドの重心を通る水平軸Ｙの回りの慣性モーメントIyy は１９００ｇ−ｃｍ２〜２０５０ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１７】
クラウン、ソール及び打球プレート、前記クラウンより外側に延びる外部ホーゼルと中空内部を有するボディを備えるゴルフクラブヘッドであって、
ゴルフクラブヘッドは、ゴルフクラブヘッドの重心を通り垂直軸Ｚの回りの慣性モーメントIzz は３０００ｇ−ｃｍ２〜５０００ｇ−ｃｍ２の範囲であり、ゴルフクラブヘッドの重心を通る水平軸Ｙの回りの慣性モーメントIyy は１９００ｇ−ｃｍ２〜２０５０ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１８】
チタニウム合金から成り、クラウン、ソール及び打球プレートと中空内部を有し、質量が２５０ｇ未満であり、前記打球プレートは厚さの異なる同心状領域を有するボディと、
前記ボディの中空内部内に配置され、総重量が８５ｇ未満である複数の重り部材とを備えるゴルフクラブヘッドであって、
ゴルフクラブヘッドは、ゴルフクラブヘッドの重心を通り垂直軸Ｚの回りの慣性モーメントIzz は３０００ｇ−ｃｍ２〜５０００ｇ−ｃｍ２の範囲であり、ゴルフクラブヘッドの重心を通る水平軸Ｙの回りの慣性モーメントIyy は１９００ｇ−ｃｍ２〜２０５０ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は１００ｇ−ｃｍ２未満の絶対値を持つゴルフクラブヘッド。
【請求項１９】
クラウン、ソール及び打球プレートと中空内部を有するボディを備えるゴルフクラブヘッドであって、
ゴルフクラブヘッドは３００ｃｍ３〜６００ｃｍ３の範囲の体積を有し、
互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は、慣性乗積Ixyは５０ｇ−ｃｍ２未満の絶対値を持ち、慣性乗積Ixzは１００ｇ−ｃｍ２未満の絶対値を持ち、慣性乗積Iyzは１００ｇ−ｃｍ２未満の絶対値を持つゴルフクラブヘッド。
【請求項２０】
クラウン、ソール及び打球プレートと中空内部を有するボディと、
前記ボディの中空内部内に配置され、総重量が８５ｇ未満である複数の重り部材とを備えるゴルフクラブヘッドであって、
ゴルフクラブヘッドは３００ｃｍ３〜６００ｃｍ３の範囲の体積を有し、ゴルフクラブヘッドの重心を通り垂直軸Ｚの回りの慣性モーメントIzz は３０００ｇ−ｃｍ２〜５０００ｇ−ｃｍ２の範囲であり、互いに直交する、ゴルフクラブヘッドの重心を通る垂直軸Ｚと，ゴルフクラブヘッドの重心を通り実質的に打球プレートに平行な水平Ｙ軸と、ゴルフクラブヘッドの重心を通る前後軸Ｘとにより定まるゴルフクラブヘッドの慣性乗積Ixy,、Ixz及び Iyzの各々は、慣性乗積Ixyは５０ｇ−ｃｍ２未満の絶対値を持ち、慣性乗積Ixzは１００ｇ−ｃｍ２未満の絶対値を持ち、慣性乗積Iyzは１００ｇ−ｃｍ２未満の絶対値を持つゴルフクラブヘッド。
【発明の詳細な説明】
【０００１】
【発明の属する技術分野】
本発明は慣性モーメントの乗積を最適化する大型体積のゴルフクラブヘッドに関する。本発明は、特に、小さい値の慣性乗積を持ち、大きい慣性モーメントを有するゴルフクラブヘッドに関する。
【０００２】
【従来技術】
近時、希望する重量特性を有するゴルフクラブヘッドの開発に実質的な関心が注がれており、特に、希望する重心位置を持つゴルフクラブヘッドの開発に関心が向けられている。例えば、設計者はゴルフクラブのフェース又はスイートスポットに対して所定の、或いは好ましい位置にゴルフクラブヘッドの重心の位置を定め、より飛距離を大きくするようにするかもしれない。
【０００３】
通常のゴルフクラブヘッドは典型的には均一の密度を持つ金属合金や他の材料で造られているため、そのようなゴルフクラブヘッドの重量特性は通常は全体の形状により定まる。したがって、ゴルフクラブヘッドの重心位置を変えるためにはゴルフクラブヘッドの形や外観形状を変えることがしばしば必要となる。しかしながら、これはゴルフクラブヘッドの他の特性に悪い影響を与えることとなるかも知れない。
【０００４】
ゴルフクラブヘッドを合成材料（代表的にはカーボン強化プラスチック）で製造されるときには設計プロセスは更に複雑なものとなる。合成材料は通常は金属や他の材料より密度が低く、合成材料のゴルフクラブヘッドは一般には最終製品の所望のスイングウェイトを得るためには追加的な重りを付与する必要がある。
【０００５】
米国ゴルフ協会（“ＵＳＧＡ”）及びセントアンドリュースロイヤルエイシャントゴルフクラブにより制定されたゴルフ規則はゴルフクラブヘッドに対して所定の要件を規定している。このゴルフクラブヘッドの要件は規則４及び付則IIに見ることができる。ゴルフ規則の完全な内容はＵＳＧＡウェブページwww.usga.orgから入手できる。ゴルフ規則はゴルフクラブについて特定なパラメエータを記載していないが、規則４−１ｄにはクラブヘッドは形状が概ね平坦で全ての部分が固く形状を保つ性質と機能性をもつものでなければならないとされている。
【０００６】
過去数年においては、ドライバーとフェアウェイウッドの体積はゴルファーにより大きい距離を許容するために増大してきている。カリフォルニアの１９５立方センチメートルのキャラウェイゴルフカンパニーのBIG BERTHA（登録商標）ドライバーは大型体積ドライバーの始まりであった。このBIG BERTHA（登録商標）ステンレススチールのドライバーの次に同じくキャラウェイゴルフカンパニーのGREAT BIG BERTHA（登録商標）チタニウムドライバーが続き、これは２５０ｃｃの体積を有していた。そして、キャラウェイゴルフカンパニーによりBIGEST BIG BERTHA（登録商標）チタニウムドライバーが導入され、これは２９５ｃｃの体積を持っていた。最近、キャラウェイゴルフカンパニーにより鍛造チタニウムERC（登録商標）ドライバーが導入され、これは３００ｃｃの体積を有していた。大型体積ドライバーは一部においてはそれらのサイズに起因して従来のゴルフクラブより大きい慣性モーメントを持っている。ドライバーの慣性モーメントIxx, Izz, Iyy はドライバーに寛容性を与える。しかしながら、少ない散ばりの形態における慣用性は慣性モーメントの関数ではなく、むしろ慣性乗積 Ixy, Ixz, Iyz の結果である。
【０００７】
慣性乗積は他の軸の周りの回転を伴うある一つの軸の周りのモーメントに関連している。これらのヘッドの回転は、ゴルフボールに対して、それぞれ、ドロー又はフェードスピン、或いはバックスピンを増やしたり減らしたする垂直又は水平のギア効果を生み出す。Iyy, Izzに関する通常のギア効果によって生ずるスピンとは異なり、これらのスピンはフェースの膨らみ半径及びロール半径を調節することによっては補償できない。クラブヘッドが３００ｃｃより大きくなるにつれて、また、Izz が３０００ｇ−ｃｍ２以上、Iyyが１８００ｇ−ｃｍ２以上と慣性モーメントが大きくなるにつれて、慣性乗積もまた大きくなる傾向にある。慣性乗積が大きくなるにつれて散ばりに対して悪い影響が出て来る。
【０００８】
したがって、大きな慣性モーメントを持つ大型体積のゴルフクラブヘッドにおって小さい慣性乗積を持つことが要求される。大きな慣性乗積は大きな慣性モーメントのバイプロダクトであるため、この要求に応えることは難しい。
【０００９】
［本発明の概要］
本発明は小さい慣性乗積を持つ高い慣性モーメントを有する大体積のゴルフクラブヘッドを提供する。本発明のゴルフクラブヘッドは、散ばりが増加を伴わずにより大きな信頼性と大きな距離をもたらすような大きな慣性モーメントを持つ大体積のゴルフクラブヘッドの全ての利点を提供する。したがって、本発明によるゴルフクラブヘッドによりセンターを外れてヒットした場合でも大きな距離と直進性を与え、ゴルファーに対し一貫したゴルフボールの飛びと正確性をもたらす。
【００１０】
本発明の一つの態様は、クラウン、ソール及び打球プレートを有するボディを含むゴルフクラブヘッドである。ボディは中空内部を持つ。ゴルフクラブヘッドは３００ｃｍ３〜６００ｃｍ３の範囲の体積を持つ。ゴルフクラブヘッドの各慣性乗積Ixy, Ixz, Iyz は１００g−cm２未満の絶対値を持つ。
【００１１】
本発明の他の態様は、クラウン、ソール及び打球プレートを有するボディを持つゴルフクラブヘッドの高い慣性モーメントである。ボディは中空内部を持つ。ゴルフクラブヘッドの重心を通る垂直軸Ｚの周りの慣性モーメントIzzは３０００ｇ−ｃｍ２〜５０００ｇ−ｃｍ２の範囲である。また、ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの各慣性乗積Ixy, Ixz, Iyz は１００ｇ−ｃｍ２未満である。
【００１２】
本発明の他の態様は、チタニウム合金材料からなり、２５０ｇ未満の質量を有するボディを持つゴルフクラブヘッドである。８５ｇ未満の質量を持つ複数の重り部材がボディの中空内部内に配置される。ゴルフクラブヘッドの重心を通る垂直軸Ｚの周りの慣性モーメントIzzは３０００ｇ−ｃｍ２〜５０００ｇ−ｃｍ２の範囲である。ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの各慣性乗積Ixy, Ixz, Iyz は１００ｇ−ｃｍ２未満である。
【００１３】
本発明の他の態様はスチール合金材料からなり、２５０ｇ未満の質量を有するボディを持つゴルフクラブヘッドである。８５ｇ未満の質量を持つ複数の重り部材がボディの中空内部内に配置される。ゴルフクラブヘッドの重心を通る垂直軸Ｚの周りの慣性モーメントIzzは３０００ｇ−ｃｍ２〜５０００ｇ−ｃｍ２の範囲である。ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの各慣性乗積Ixy, Ixz, Iyz は１００ｇ−ｃｍ２未満である。
【００１４】
本発明の他の態様は、クラウン、ソール、打球プレート及びクラウンから外側に延びる外部ホーゼルを有するゴルフクラブヘッドである。ゴルフクラブヘッドの重心を通る垂直軸Ｚの周りの慣性モーメントIzzは３０００ｇ−ｃｍ２〜５０００ｇ−ｃｍ２の範囲である。ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの各慣性乗積Ixy, Ixz, Iyz は１００ｇ−ｃｍ２未満である。
【００１５】
更なる本発明の他の態様は、クラウン、ソール及び打球プレートを持つゴルフクラブヘッドである。ゴルフクラブヘッドは中空内部を有し、チタニウム合金材料からなる。ゴルフクラブヘッドは２５０ｇ未満の質量を持ち、厚さの変化する同心状の領域を有する。重り部材がボディの中空内部の内部に配置される。ゴルフクラブヘッドの重心を通る垂直軸Ｚの周りの慣性モーメントIzzは３０００ｇ−ｃｍ２〜５０００ｇ−ｃｍ２の範囲である。ゴルフクラブヘッドの重心を通る垂直軸Ｙの周りの慣性モーメントIyyは１９００ｇ−ｃｍ２〜２０５０ｇ−ｃｍ２の範囲である。ゴルフクラブヘッドの各慣性乗積Ixy, Ixz, Iyz は１００ｇ−ｃｍ２未満である。
【００１６】
本発明の概要を述べたが、上記の、また更なる本発明の目的、特徴及び利点は当業者が以下の図面を参照とした本発明の詳細な説明により理解するであろう。
【００１７】
［発明の詳細な説明］
図１−４に示されるように、本発明のゴルフクラブヘッドは全体として２０で示される。ゴルフクラブヘッドの全ての慣性乗積（Ixy, Ixz 及びIyz）は１００ｇ−ｃｍ２未満の絶対値を持つ。好ましくは乗積Ixy, Ixz 及びIyzは５０ｇ−ｃｍ２未満、最も好ましくは乗積Ixy, Ixz 及びIyzはゼロに近い。本発明のゴルフクラブヘッド２０のＺ軸の回りの慣性モーメントIzzは２８００ｇ−ｃｍ２〜５０００ｇ−ｃｍ２の範囲であり、より好ましくは３０００ｇ−ｃｍ２〜４５００ｇ−ｃｍ２、最も好ましくは３５００ｇ−ｃｍ２〜４０００ｇｃｍ２の範囲である。本発明のゴルフクラブヘッドのＹ軸の回りの慣性モーメントIyyは、１５００ｇ−ｃｍ２〜２５００ｇ−ｃｍ２の範囲であり、より好ましくは１８００ｇ−ｃｍ２〜２１００ｇ−ｃｍ２、最も好ましくは１９００ｇ−ｃｍ２〜２０５０ｇｃｍ２の範囲である。ゴルフクラブヘッド２０は好ましくは３００ｃｃ〜６００ｃｃの範囲、より好ましくは３２５ｃｃ〜５２５ｃｃの範囲の体積を持つ。
【００１８】
クラブヘッド２０は好ましくはドライバー又はフェアウェイウッドである。好ましい実施例では、ボディ２２はクラウン２４、フェース２６、ソール２８及びソール２８とクラウン２４に並列するリボン３０を有している。リボン３０は、概ね、トオエンド３２からヒールエンド３４に向けて延びている。リボン３０は、概略、フェース２６の一端から始まりからフェース２６の他端で終わる。ボディ２２の後部３６はフェース２６の反対側に有りリボン３０の一部とクラウン２４とソール２８により画成される。リボン３０はクラブヘッド２０の体積を増加させ、以下に述べるように、高い慣性モーメントを持つクラブヘッド２０を創り出すのに役立つ。また、クラブヘッド２０のヒールエンド３４には、シャフトが挿入されるシャフト開口３９を持つ内部ホーゼル３８が存在している。
【００１９】
ボディ２２は金属、合成材料、プラスチック材料などから造られる。好ましい実施例ではボディ２２はカーボンプリプレグシート（予め含浸させた）プライ、又は同様な非金属材料から成る。他の替わりの実施例においては、ボディ２２は鍛造チタニウム合金材料から成る。更に他の実施例ではボディ２２は鋳造チタニウム合金材料から成る。当業者であれば、ボディ２２は本発明の範囲と精神を離れない限りにおいて他の材料が使用できることは理解するであろう。
【００２０】
ボディ２２は好ましくはクラウン２４、フェース２６、ソール２８及びリボン３０の壁により画成される中空内部４４を有する。クラウン２４、ソール２８及びリボン３０の壁は質量を少なくするために比較的薄くされている。フェース２６の壁の厚さはゴルフボールとのインパクトを維持するために必要となるため、他の壁より厚くされる。フェース２６が金属で造られていれば、ここに参照として組み入れられる米国特許第５，８３０，０８４号に開示されているように、変化する厚みを持つことが好ましい。
【００２１】
図５−７に示されるように、クラブヘッド２０はクラブヘッド２０の中空内部４４内に配置される複数の重り部材４０を有する。重り部材４０は重心位置を定めるため、また、慣性モーメントを増やし、慣性乗積を小さくするために配置される。好ましい実施例では重り部材４０は、以下に詳述するようにプリプレグのプライの層内に組み入れられるのが好ましい。ボディが金属材料から成るような他の代替的実施例においては、各重り部材４０はソール２９に溶接するためにソール２９と同じ材料から成る重りコンパートメトとなっている。重りコンパートメントは、７〜２０ｇ／ｃｍ３の密度と３〜２０ｇの重量を持つ材料（ビスマスがこのような材料の一つである）が内部に配置される所定の体積を持つチャンバーを画成する。このような重り部材４０は、ここに参照として全体が組み入れられる２０００年８月４日に出願された米国特許第６，３６４，７８８号、「ゴルフクラブ重りシステム」に記載されている。他の実施例では、重り部材はボディ２２の適当な位置にねじ込まれるタングステンのねじか、又はボディ２２に溶接する重りチップである。当業者であれば他の重り手段が本発明の範囲と精神を離れない範囲で使用できることは理解できるであろう。
【００２２】
図８に示されるように、ソールプレート４２がソール２８の外側に取り付けられ、クラブヘッド２０の中空内部４４内にホーゼル３８が配置される。ソールプレート４２は好ましくはアルミニウム、チタニウム、又はステンレススチールのような金属から成る。ソールプレート４２は約５ｇ〜１５ｇの重さである。ホーゼル３８は好ましくはステンレススチール又はポリカーボネートメタルのような金属から成る。ホーゼル３８は好ましくは１２ｇ〜１６ｇの重さを持つ。図８Ａに示される他の実施例は、ここに参照として全体が組み入れられる、１９９９年１２月２９日に出願された米国特許第６，２４４，９７６号、「ゴルフクラブヘッドのソールプレート及びホーゼル」に記載されるような一体型のソールプレートとホーゼルを有している。当業者であれば、ホーゼルは、ゴルフクラブヘッドのヒールエンドから上方に延びる外部ホーゼルでもよいこと、及びこのホーゼルが慣性乗積に影響を与えることは理解できるであろう。
【００２３】
重り部材４０は好ましくは高密度金属（タングステンのような）が充填されたフィルム、又は銅、タングステン、スチール、アルミニウム、錫、銀、金、プラチナ等の金属から成る。
【００２４】
好ましい重り部材４０は適当な密度に金属が充填された熱可塑性材料であり、金属充填材は、タングステン、真ちゅう、銅、スチール、錫等とすることができる。各重り部材はボディ２２の材料より大きい密度を持つ。各重りストリップ４０は個々に３ｇ〜３５ｇの重量を持ち、より好ましくは１０ｇ〜３０ｇである。好ましい実施例では、全ての重り部材４０の全重量は約３０ｇ〜８０ｇで、最も好ましくは６０ｇである。
【００２５】
図９に示されるように、好ましくは一つの重り部材４０はゴルフクラブヘッド２０の回転モーメントを増すためにＵ字状に上部のリボン３０ａに配置される。第２のバランス重り部材４０’はゴルフクラブヘッド２０の慣性乗積を１００ｇ−ｃｍ２以下に減らすために内部ホーゼルとバランスさせるため、クラブヘッド２０の下側のリボン３０ｂのトオエンド３２に配置される。上部リボン３０ａの重り部材４０はフェース２６のヒールエンド３４から後部３６を通りフェース２６のトオエンドに延びている。しかしながら、この重り部材４０は上部リボン３０ａの後部のみ、上部リボン３０ａのヒールエンド３４のみ、上部リボン３０ａのトオエンド３２のみ、又はこれらの組み合わせた位置に配置することができる。下側リボン３０ｂのバランス重り部材４０’は、好ましくは内部ホーゼル３８の慣性モーメントの効果に合致させる。
【００２６】
合成材料からなるボディ２２を持つ好ましい実施例においては、重り部材４０は上部リボン３０ａに一体に硬化された単一片である。しかしながら、２，３、４又はそれ以上の重り部材４０を上部リボン３０ａに沿って一体に硬化させてもよい。複数の重り部材４０を垂直方向又は水平方向に区分してもよい。例えば、図９Ａに示されるように、３つの分離した重り部材４０ａ−ｃは互いに平行で実質的に上部リボン３０ａの長さ全体に沿って配置される。図９Ｂに示される他の代替的実施例では、複数の重り部材４０ａ−ｊは上部リボン３０ａの長さ全体に均一に散ばりされている。図９Ｃに示される他の実施例では、分離した重り部材４０ａ−ｃはリボン３０のトオエンド３２、リボン３０の後部３６、リボン３０のヒールエンドに配置される。この実施例はバランス重り部材４０’は持っていないが、重り部材４０ａ−ｃは異なる重量とされてゴルフクラブヘッドの全ての慣性乗積(Ixy, Ixz, Iyz) を１００ｇ−ｃｍ２未満としている。当業者であれば本発明の範囲と精神を離れない範囲で重り部材４０の多くの変形が可能であるとは理解できるであろう。
【００２７】
既に述べたように、好ましい合成材料はカーボンプリプレグシートのプライである。合成材料シートのプリプレグプライはファイバーの糸、好ましくはカーボン又はグラスファイバーを樹脂フィルムを通して平行な動きで引く抜き、樹脂を部分的に硬化又はステージさせることにより製造できる。樹脂が部分的にステージされると、樹脂はファイバーが全てのシートがシートのエッジに対して特定の方向を向くようして順応性のあるシートを形成するようにファイバーを一体に保持する。カーボンプリプレグシートの例としては、カリフォルニアのニューポートコンポサイト  オブ  サンタ  アナ、カルフォルニア、アナハイムのサイテック  インコーポレーテッド、又はカルフォルニア、プレザントンのヘクセル  インコーポレーテッドより入手できる。これに替えて、合成材料ボディ２２の層４１ａ−ｃは樹脂の合成材料ファイバーの複数のプライで造ることができ、これらの各々は、ここに参照として組み入れられる１９９７年１０月２３日に出願された米国特許第６，０１０，４１１号に記載されているようなドライ強化プレフォームを製造するのに使用される、連続するファイバーのブレイド又はマットで構成される。
【００２８】
合成材料ボディ２２はゴルフクラブヘッド２０の種々の壁を構造的に画成する１又は複数のプリプレグプライを含むことができる。もちろん、ゴルフクラブヘッド２０の所望の構造的特性に応じて多くの他の形状が使用できる。このような形状の一つは、ここに全体が参照として組み入れられる１９９９年１２月２９日に出願された米国特許第６，２４８，０２５号、「合成材料ゴルフクラブヘッド及び製造方法」に記載されている。
【００２９】
図１０、１０Ａ、１０Ｂはゴルフクラブヘッドの重心を通る慣性軸を示す。慣性軸はＸ，Ｙ及びＺで示されている。前後軸Ｘは、打球プレート２６から重心ＣＧを通りゴルフクラブヘッド２０の後部へ延びる。水平軸Ｙは、フェース２６に実質的に平行でゴルフクラブヘッド２０トオエンド３２から重心ＣＧを通り、ゴルフクラブヘッド２０のヒールエンド３４に延びる。垂直軸Ｚは、クラウン２４から重心ＣＧを通り、ソール２８に延びる。Ｘ軸、Ｙ軸及びＺ軸は互いに直交している。
【００３０】
「ゴルフクラブの設計、適合、改造、修理」、第４版、ラルフ  マルティバイ著に記載されているように、ゴルフクラブヘッドの重心、即ち、質量中心はクラブヘッドが吊り下げられたときクラブヘッドが平衡となる２又はそれ以上の点の垂直線の交点により決定さあれる。重心の定義に関するより詳細な説明は「ゴルフクラブの設計、適合、改造、修理」に与えられている。
【００３１】
ゴルフクラブヘッド２０の重心及び慣性モーメントは好ましくはテストフレーム（ＸＴ，ＹＴ，ＺＴ）を使用して測定され、次に、図１１及び１１Ａに示されるようにヘッドフレーム（ＸＨ，ＹＨ，ＺＨ）に変換される。ゴルフクラブヘッドの重心は図１２，１２Ａ，１２Ｂに示されるように、２つの重量スケールをその上に持つ重心テーブル５５を使用して得ることもできる。もし、シャフトがあれば、それを取り除き、ゴルフクラブヘッド２０の軸に直角な多数の面を持つホーゼルキューブ５７と置き換える。ゴルフクラブヘッドの重量が与えられると、ゴルフクラブヘッドが両方のスケールの上に同時に置かれ、特定の方向Ｘ，Ｙ又はＺに沿って秤量されるとき、スケールはゴルフクラブヘッドの重量分布を決定することを可能にする。重量スケールは重力に対して平行で、重心位置を決定するために方向に沿って重量分布の計算を可能とする。ここで：
ここで：
WAO、WBO：ヘッド無しの重量（取り付け具）
及び
ＷＡＨ、ＷＢＨ：ヘッドを伴う重量
Ｘ軸の位置は下記の式を用いて決定することができる。
【００３２】
【数１】
0004188017.tif 000002
Ｙ軸の位置は下記の式を用いて決定することができる。
【００３３】
【数２】
0004188017.tif 000003
Ｚ軸の位置は下記の式を用いて決定することができる。
【００３４】
【数３】
0004188017.tif 000004
一旦、テストフレーム座標が決定されると、下記の式を用いてヘッドフレーム座標に変換できる。
【００３５】
【数４】
0004188017.tif 000005
慣性モーメントは図１２Ｃ，１２Ｄ，１２Ｅに示されるような、慣性マシン５９の慣性ダイナミックモーメントを使用して測定することができる。このマシン５９は互いに０．５インチ離れたアダプターホールを有する長方形の板を持っている。長方形の板は振動運動できるようにマシン５９に取り付けられる。ゴルフクラブヘッド２０が長方形の板の上に置かれマシンにより一振動の周期が測定される。振動時間は、事実上、トーションばねにより発生される復帰力を伴う単一の自由度であるマシンの回転軸の回りのゴルフクラブヘッドの回転モーメントに直接に相関する。
【００３６】
プレート上に取り付けたゴルフクラブヘッドの向きを変えることにより、ある軸に対する所望の慣性モーメントを求めることができる。慣性テンソルを発生するために９つの異なる向きが必要とされ、慣性モーメントはプレートとアダプターを含んで測定されるため、初期のセットアップの基準となる慣性モーメントの測定のため９つの追加の測定が必要となる。ゴルフクラブヘッドの慣性モーメントは、ゴルフクラブヘッド、アダプター、プレート及びマシンの回転する内部質量による測定値と、アダプター、プレート及びマシンの回転する内部質量だけによる測定値との差である。ゴルフクラブヘッドに対してなされる９回の測定のために、ヘッドからヘッドでは同じ向きで、長方形のプレート上の位置は特定のゴルフクラブヘッドの重心に依存する。ゴルフクラブヘッド無しの９回の測定はアダプターの位置と向きは同じである。マシンは、重心が回転軸に最も近くになるようにした長方形プレートの上の穴を計算するための重心及び慣性モーメントプログラムを有し、これにより誤差を最小にしている。プログラムはゴルフクラブヘッドの重心を含まない回転軸を計算するため平行軸原理を使用する。これは重心の回りの慣性テンソルを生成し、その慣性テンソルは次にゴルフクラブヘッドのいかなる軸の回りの回転モーメントを計算することを可能とする。
【００３７】
【表１】
0004188017.tif 000006
表１は従来技術の合成材料ゴルフクラブヘッドの重心位置、重心の回りの慣性モーメント、慣性乗積を示している。Ｚ軸の回りの慣性モーメントIzzはどの従来の合成材料ヘッドについても２４３６．００ｇ−ｃｍ２未満である。最も高いＺ軸の回りの慣性モーメントIzzはYonex 1 AERONA  ３００合成材料ドライバー の２４３５．７２ｇ−ｃｍ２である。Ｙ軸の回りの慣性モーメントIyy はどの従来の合成材料ドライバーについても１３００．００ｇ−ｃｍ２未満である。最も高いＹ軸の回りの慣性モーメントIyyはDaiwa 1, G3合成材料ドライバー の１２９８．２１ｇ−ｃｍ２である。表１の全ての合成材料ヘッドの質量は１８６ｇ〜２０８．５ｇの範囲である。高い慣性モーメント又は３００ｃｃより大きい体積を持つ表１の各合成材料ゴルフクラブは少なくとも一つの１００ｇ−ｃｍ２を超える慣性乗積の絶対値を持つ。例えば、Yonex 1 AERONA  ３００は表１では最も高い慣性モーメントを持っているが、その慣性乗積Ixv は２０５．０６ｇ−ｃｍ２である。全てのDaiwa 1, G3  の慣性乗積の絶対値は１００ｇ−ｃｍ２未満であるが、G-3はゴルフクラブヘッドの体積がたったの１９５ｃｃであり、最も高い慣性モーメントはたたの１９５１．５４ｇ−ｃｍ２である。このように、Daiwa 1, G3は大きい体積又は高い慣性モーメントで１００ｇ−ｃｍ２より低い慣性乗積を持つゴルフクラブラブを示すことに成功していない。
【００３８】
【表２】
0004188017.tif 000007
表２は、カルフォルニア、カールすバッドのキャラウェイ  ゴルフ  カンパニーのGREAT BIG BERTHA (登録商標)キャストチタニウムドライバーから始まり、２列目のBIGGEST BIG BERTHA(登録商標)キャストチタニウムドライバー、３列目のGREAT BIG BERTHA (登録商標) HAWK EYE(登録商標) キャストチタニウムドライバー、４列目のBIG BERTHA(登録商標)  STEELHEAD PLUSTMキャストステンレススチールドライバー、及び５列目のERC（登録商標）鍛造チタニウムドライバーの従来のメタルゴルフクラブヘッドについての重心の回りの慣性モーメント及びか慣性乗積を掲載したものである。Ｚ軸の回りの慣性モーメントIzzは表２のどのゴルフクラブヘッドについも２９００．００ｇ−ｃｍ２より小さい。最も高いＺ軸の回りの慣性モーメントIzzはCALLAWAY GOLF（登録商標）の BIGGEST BIG BERTHA(登録商標)の２９００ｇ−ｃｍ２である。Ｙ軸の回りの慣性モーメントIyyは表２のどのクラブヘッドについても１８００．００ｇ−ｃｍ２より小さい。表２の全てのクラブヘッドの質量は１８６ｇ〜２０８．５ｇの範囲である。表２の全てのクラブヘッドは１００ｇ−ｃｍ２より大きい絶対値の慣性乗積を一つ持っている。例えば、GREAT BIG BERTHA (登録商標)ドライバーの慣性乗積Iyz, Ixz は１００ｇ−ｃｍ２の絶対値より低いが、慣性乗積Ixy は１００ｇ−ｃｍ２を超えている。
【００３９】
【表３】
0004188017.tif 000008
表３は本発明のゴルフクラブヘッド２０の慣性モーメント及び慣性乗積を示す。重りのない（重り部材４０がない）クラブヘッド２０は９０ｇ〜１２０ｇの重量を持ち、これにより、６０ｇ〜１０５gの重りを配置することを可能とし、従って本発明のゴルフクラブヘッド２０の小さい慣性乗積を達成することが可能となる。本発明のゴルフクラブヘッド２０のＺ軸の回りの慣性モーメントIzz は２８００ｇ−ｃｍ２〜５０００ｇ−ｃｍ２の範囲となり、好ましくは３０００ｇ−ｃｍ２〜４５００ｇ−ｃｍ２、最も好ましくは３５００ｇ−ｃｍ２〜４０００g−ｃｍ２である。本発明のゴルフクラブヘッド２０のＹ軸の回りの慣性モーメントIyyは１５００ｇ−ｃｍ２〜２５００ｇ−ｃｍ２の範囲となり、好ましくは１８００ｇ−ｃｍ２〜２１００ｇ−ｃｍ２、最も好ましくは１９００ｇ−ｃｍ２〜２０５０g−ｃｍ２である。本発明のゴルフクラブヘッド２０の慣性乗積Ixy は１００ｇ−ｃｍ２より小さい絶対値を持つ。好ましくは慣性乗積Ixyは５０ｇ−ｃｍ２より小さく、最も好ましくは慣性乗積Ixyは０に近い。本発明のゴルフクラブヘッド２０の慣性乗積Ixz は１００ｇ−ｃｍ２より小さい絶対値を持つ。好ましくは慣性乗積Ixz は５０ｇ−ｃｍ２より小さく、最も好ましくは慣性乗積Ixz は０に近い。本発明のゴルフクラブヘッド２０の慣性乗積Iyz は１００ｇ−ｃｍ２より小さい絶対値を持つ。好ましくは慣性乗積Iyz は５０ｇ−ｃｍ２より小さく、最も好ましくは慣性乗積Iyz は０に近い。
【００４０】
図１３−３８は、慣性乗積がゴルフクラブによって打たれたゴルフボールの距離と散ばりにどのように影響を及ぼすかを示す。
【００４１】
図１３は慣性乗積Iyzの中心よりハイセンターヒットからのロフトを上げる力に関する効果を示す。ハイセンターヒットはゴルフクラブヘッド２０の重心より上で衝撃ベクトルを持つヒットとして定義され、ロウセンターヒットはゴルフクラブヘッド２０の重心より下で衝撃ベクトルを持つヒットとして定義される。図１３に示されるようなハイセンターヒットに対しては、慣性乗積Iyzはゴルフクラブヘッド２０にクローズする回転を与えるロフティングモーメントを引き起こし、ゴルフボール６３にスライススピンをもたらす。
【００４２】
図１４は慣性乗積Iyz のロウセンターヒットからのデ・ロフティング力（ロフトを下げる力）に関する効果を示す。慣性乗積Iyz はゴルフクラブヘッド２０にオープンにする回転を与えるデ・ロフティングモーメントを引き起こし、ゴルフボール６３にドロウスピンをもたらす。
【００４３】
図１５は慣性乗積Iyz のオフ・センターヒールからのクロージング力に関する効果を示す。慣性乗積Iyz は はゴルフクラブヘッド２０にロフティング回転を与えるクローズモーメントを引き起こし、ゴルフボール６３にトップスピンをもたらす。
【００４４】
図１６は慣性乗積Iyz の中心からオフ・センタートオヒットからのオープニング力に関する効果を示す。慣性乗積Iyz はゴルフクラブヘッド２０にデ・ロフティング回転を与えるオープニングモーメントを引き起こし、ゴルフボール６３にバックスピンをもたらす。
【００４５】
図１７は慣性乗積Iyz のゴルフボールの散ばりに関する効果を示す。ゼロの慣性乗積Iyz を持つゴルフクラブヘッドはどのヒット位置でも比較的小さい散ばりを持ち、一方、慣性乗積Iyzが３００（絶対値）のゴルフクラブはヒット位置により３５フィートの散ばりを持つ。
【００４６】
図１８は慣性乗積Iyz の増加による散ばりへの効果を示す。ハイセンターヒットはIyz が１００ｇ−ｃｍ２増加する毎に６．９フィートの右側への散ばりを持ち、ロウセンターヒットはIyz が１００ｇ−ｃｍ２増加する毎に４．２フィートの左側への散ばりを持つ。
【００４７】
図１９は９回のヒットパターンの平均について慣性乗積Iyz の増加による散ばりへの効果を示す。図２０は慣性乗積Iyz の増加による９回のヒット位置の散ばりへの効果を示す。
【００４８】
図２１及び２２は９回のヒットパターンの平均について慣性乗積Iyz の増加による距離への効果を示す。例えば、ハイセンターヒットはIyz が１００ｇ−ｃｍ２増加する毎に−０．３ヤードの距離の影響を与え、ハイトオヒットはIyz が１００ｇ−ｃｍ２増加する毎に１．５ヤードの距離の影響を与える。
【００４９】
図２３は慣性乗積Ixy のオフ・センターヒールヒットからの垂直方向の力に関する効果を示す。慣性乗積Ixyは、ゴルフボール６３にトップスピンをもたらすロフティング回転を生じさせるゴルフクラブヘッド２０でのトオ−アップモーメントを引き起こす。
【００５０】
図２４はオフ−センタートオヒットからの垂直方向の力に対する慣性乗積Ixy の効果を示す。慣性乗積Ixyはゴルフボール６３にばっくすピンをもたらすデ−ロフティング回転を生じさせるゴルフクラブヘッド２０におけるトオ−ダウンモーメントを引き起こす。
【００５１】
図２５は慣性乗積Ixy のハイセンターヒットからのロフティング力に関する効果を示す。慣性乗積Ixyは、ゴルフボール６３にヒールヒットに対してはバックスピン、トオヒットに対してはトップスピン、センターヒットに対してはフェードスピンをもたらすトオ−アップ回転を生じさせるゴルフクラブヘッド２０におけるロフティングモーメントを引き起こす。
【００５２】
図２６は慣性乗積Ixy のローセンターヒットからのデ・ロフティング力に関する効果を示す。慣性乗積Ixyは、ゴルフボール６３にトオヒットに対してはバックスピン、ヒールヒットに対してはトップスピン、センターヒットに対してはフェードスピンをもたらすトオ−ダウン回転を生じさせるゴルフクラブヘッド２０におけるデ・ロフティングモーメントを引き起こす。
【００５３】
図２７及び２８は、９回のヒットパターンの平均の慣性乗積Ixy の増加の距離への効果を示す。例えば、ハイセンターヒットはIxy が１００ｇ−ｃｍ２増加する毎に−０．３ヤードの距離の影響を与え、ハイトオヒットはIyz が１００ｇ−ｃｍ２増加する毎に−０．９ヤードの距離の影響を与える。
【００５４】
図２９及び３０は、９回のヒットパターンの平均の慣性乗積Ixy の増加の散ばりへの効果を示す。例えば、ハイセンターヒットは慣性乗積Ixyが１００ｇ−ｃｍ２だけ増加する毎に右側に３．９フィート、ハイトオヒットは慣性乗積Ixyが１００ｇ−ｃｍ２だけ増加する毎に右側に２．１フィートの効果を与える。
【００５５】
図３１は慣性乗積Izx のオフ・センターヒールヒットからの垂直方向の力に対する効果を示す。慣性乗積Izxはゴルフボール６３にスライススピンをもたらすクロージング回転を生じさせるゴルフクラブヘッド２０におけるトオ−アップモーメントを引き起こす。
【００５６】
図３２は慣性乗積Izxのオフセンタートオヒットからの垂直方向の力に対する効果を示す。慣性乗積Izxは、ゴルフボール６３にドロースピンをもたらすオープン回転を生じさせるゴルフクラブヘッド２０におけるトオ−ダウンモーメントを引き起こす。
【００５７】
図３３は慣性乗積Izx のオフセンターヒールヒットからのクローズする力に対する効果を示す。慣性乗積Izxはゴルフボール６３にバックスピンをもたらすトオ−アップ回転を生じさせるゴルフクラブヘッド２０におけるクローズモーメントを引き起こす。
【００５８】
図３４は慣性乗積Izx のオフセンタートオヒットからのオープンする力に対する効果を示す。慣性乗積Izxはゴルフボール６３にバックスピンをもたらすトオ−ダウン回転を生じさせるゴルフクラブヘッド２０におけるオープニングモーメントを引き起こす。
【００５９】
図３５及び３６は９回のヒットパターンの平均の慣性乗積Ixz の増加の距離への効果を示す。例えば、ハイヒールヒットは慣性乗積Ixzが１００ｇ−ｃｍ２だけ増加する毎に−０．９ヤード、ロートオヒットは慣性乗積Ixzが１００ｇ−ｃｍ２だけ増加する毎に−０．９ヤードの効果を与える。
【００６０】
図３７及び３８は９回のヒットパターンの平均の慣性乗積Ixz の増加の散ばりへの効果を示す。例えば、ハイヒールヒットは慣性乗積Ixzが１００ｇ−ｃｍ２だけ増加する毎に４．５フィート、ハイトオヒットは慣性乗積Ixzが１００ｇ−ｃｍ２だけ増加する毎に３．９フィートの効果を与える。
【００６１】
図３９に示されるように、本発明のクラブヘッド２０は４つの領域、I, II, III, IV に区分される。I 又はIIIのいずれかの領域に加えられる質量は慣性乗積Ixy を増加させ、一方、II 又は IVのいずれかの領域に加えられる質量は慣性乗積Ixyを減少させる。与えられた領域内での質量を加える位置はIxy の変化の大きさを決定する。Ixyの増加分は加えられる質量“ｍ”の量と質量のＸＹ座標（Ｘ及びＹはゴルフクラブヘッド２０の重心ＣＧからの距離）の位置により下記の式を使用して決定される。
【００６２】
Ixy=§§mdxdy
結果として、Ｘ軸又はＹ軸に沿っての質量の付加はIxy に関しては影響を及ぼさず、一方、Ｘ軸及びＹ軸の２等分する斜めの線に沿う質量の付加はIxyに関して大きな影響（増加又は減少）を与える。
【００６３】
図４０に示されるように、本発明のクラブヘッド２０は４つの領域I, II, III, IVに区分される。I又はIIIのいずれかの領域に加えられる質量は慣性乗積Ixz を増加させ、一方、II 又はIVのいずれかの領域に加えられる質量は慣性乗積Ixzを減少させる。与えられた領域内で質量が加えられる位置は慣性乗積Ixzの変化の大きさを決定する。Ixzにおける増加分は質量の値“ｍ”と質量のＸＺ座標（ＸＺはゴルフクラブヘッド２０の重心ＣＧの位置から測定される）により以下の式を用いて決定される。
【００６４】
Ixz=§§mdxdz
結果として、Ｘ軸又はＺ軸に沿っての質量の付加はIxz に関しては影響を及ぼさず、一方、Ｘ軸及びＺ軸の２等分する斜めの線に沿う質量の付加はIxz に関して大きな影響（増加又は減少）を与える。
【００６５】
図４１に示されるように、本発明のクラブヘッド２０は４つの領域I, II, III, IVに区分される。I又はIIIのいずれかの領域に加えられる質量は慣性乗積Iyz を増加させ、一方、II 又はIVのいずれかの領域に加えられる質量は慣性乗積Iyzを減少させる。与えられた領域内で質量が加えられる位置は慣性乗積Iyzの変化の大きさを決定する。Iyzにおける増加分は質量の値“ｍ”と質量のＹＺ座標（ＹＺはゴルフクラブヘッド２０の重心ＣＧの位置から測定される）により以下の式を用いて決定される。
【００６６】
Iyz=§§mdydz
結果として、Ｙ軸又はＺ軸に沿っての質量の付加はIyz に関しては影響を及ぼさず、一方、Ｙ軸及びＺ軸の２等分する斜めの線に沿う質量の付加はIyz に関して大きな影響（増加又は減少）を与える。
【００６７】
Iyz に関する効果を表すために、図４２に示すように、クラブヘッド２０に５グラムの重り部材４０’が付加される。重りは象限I にＹ軸に沿って重心より４ｃｍ、Ｚ軸に沿って重心より１ｃｍも位置に加えられる。上述の式Iyz=§§mdydzを使用すると、Iyz＝５ｇ＊４ｃｍ＊１ｃｍ＝２０ｇ−ｃｍ２となる。重り部材４０’のIyz についての正確な影響は、質量の限定サイズに関して重り部材４０’の領域全体にわたり積算することにより計算して決定される。
【００６８】
第２の例が図４３に示され、そこでは、５グラムの重り部材４０’が象限II にＹ軸に沿って重心から３ｃｍ、Ｚ軸に沿って重心から１ｃｍの位置に配置される。上述の式、Iyz=§§mdydzを使用すると、Iyz＝５ｇ＊３ｃｍ＊−１ｃｍ＝−１５ｇ−ｃｍ２  となる．上述のように、重り部材４０’のIyz についての正確な影響は、質量の限定サイズに関して重り部材４０’の領域全体にわたり積算することにより計算して決定される。
【００６９】
以上述べたように、当業者であれば本発明による利点を認識し、本発明が好ましい実施例とともに説明されていることを理解し、また、図面により示される他の実施例、多くの変形、改変及び均等物との置換は、本発明の精神と範囲を離れることなく、また、本発明が以下のクレームに記載された以外は本発明を制限するものでないことは理解できるであろう。したがって、独占的排他権と特権がクレームされている本発明の実施例は以下のクレームにより特定されている。
【図面の簡単な説明】
【図１】本発明のゴルフクラブヘッドの上部平面図である。
【図２】図１のゴルフクラブヘッドの背面図である。
【図３】図１のゴルフクラブヘッドのトオ側視図である。
【図４】図１のゴルフクラブヘッドのヒール側視図である。
【図５】図１の線５−５の断面図である。
【図６】図１の線６−６の断面図である。
【図７】図１の線７−７の断面図である。
【図８】図１の線８−８の断面図である。
【図８Ａ】固定されたホーゼルを持つ本発明の他の実施例のゴルフクラブヘッドの断面図である。
【図９】本発明のゴルフクラブヘッドの分解図である。
【図９Ａ】本発明の他の実施例のゴルフクラブヘッドの分解図である。
【図９Ｂ】本発明の更なる他の実施例のゴルフクラブヘッドの分解図である。
【図９Ｃ】本発明の他の実施例のゴルフクラブヘッドの分解図である。
【図１０】本発明のゴルフクラブヘッドの平面図でＹ軸とＸ軸を示す。
【図１０Ａ】本発明のゴルフクラブヘッドのヒール側視図であり、Ｚ軸とＸ軸を示す。
【図１０Ｂ】本発明のゴルフクラブヘッドの正面図でＺ軸とＹ軸を示す。
【図１１】本発明のゴルフクラブヘッドの正面図でテストフレーム座標ＸＴ、ＹＴ及び変換ヘッドフレーム座標ＹＨ、ＺＨを示す。
【図１１Ａ】本発明のゴルフクラブヘッドのトオエンド視図でテストフレーム座標ＺＴ及び変換ヘッドフレーム座標ＸＨ、ＺＨを示す。
【図１２】本発明のゴルフクラブヘッドのＸ軸に沿う重心位置を測定するのに使用される重心テーブルを示す図である。
【図１２Ａ】本発明のゴルフクラブヘッドのY軸に沿う重心位置を測定するのに使用される重心テーブルを示す図である。
【図１２Ｂ】本発明のゴルフクラブヘッドのＺ軸に沿う重心位置を測定するのに使用される重心テーブルを示す図である。
【図１２Ｃ】本発明のゴルフクラブヘッドに使用される慣性マシンの慣性ダイナミックモーメントでヘッドからＸＴ方向の回転軸までの距離を示す。
【図１２Ｄ】本発明のゴルフクラブヘッドに使用される慣性マシンの慣性ダイナミックモーメントでヘッドからＹＴ方向の回転軸までの距離を示す。
【図１２Ｅ】本発明のゴルフクラブヘッドに使用される慣性マシンの慣性ダイナミックモーメントでヘッドからＺＴ方向の回転軸までの距離を示す。
【図１３】ゴルフクラブの打球プレートに対するハイセンター打球からのロフティング力に関する慣性乗積Iyz の効果を示す図である。
【図１４】ゴルフクラブの打球プレートに対するローセンターの打球からのデ・ロフティング力に関する慣性乗積Izy の効果を示す図である。
【図１５】ゴルフクラブの打球プレートに対する中心よりオフ−センターヒール打球からのクローズにする力に関する慣性乗積Izy の効果を示す図である。
【図１６】ゴルフクラブの打球プレートに対するオフセンタートオ打球からのオープンにする力に関する慣性乗積Izy の効果を示す図である。
【図１７】慣性乗積Izy＝０を持つゴルフクラブと慣性乗積Iyz＝３００を持つゴルフクラブのヒット位置（ｘ−軸）に対する散ばり（ｙ−軸）を示すグラフである。
【図１８】慣性乗積Iyzが１００ｇ−ｃｍ２ずつ増加する異なる３点のヒット位置における散ばりを示すゴルフクラブのフェースの図である。
【図１９】散ばりの散らばりパターンを示す慣性乗積Iyz（ｘ−軸）に対する散ばり（ｙ−軸）を示すグラフである。
【図２０】慣性乗積Iyzが１００ｇ−ｃｍ２ずつ増加する異なる９点のヒット位置における散ばりを示すゴルフクラブのフェースの図である。
【図２１】散ばりの散らばりパターンを示す慣性乗積Iyz（ｘ−軸）に対する距離（ｙ−軸）を示すグラフである。
【図２２】慣性乗積Iyzが１００ｇ−ｃｍ２ずつ増加する異なる９点のヒット位置における距離の変化を示すゴルフクラブのフェースの図である。
【図２３】ゴルフクラブの打球プレートに対するオフセンターヒール打球からの垂直方向の力に関する慣性乗積Izy の効果を示す図である。
【図２４】ゴルフクラブの打球プレートに対するオフセンタートオ打球からの垂直方向の力に関する慣性乗積Izy の効果を示す図である。
【図２５】ゴルフクラブの打球プレートに対するハイセンター打球からのロフトを上げる力に関する慣性乗積Iyz の効果を示す図である。
【図２６】ゴルフクラブの打球プレートに対するローセンター打球からのロフトを下げる力に関する慣性乗積Iyz の効果を示す図である。
【図２７】慣性乗積Ixy（ｘ−軸）に対する距離（ｙ−軸）を示すグラフである。
【図２８】慣性乗積Ixyが１００ｇ−ｃｍ２ずつ増加する異なる９点のヒット位置における距離の変化を示すゴルフクラブのフェースの図である。
【図２９】散ばりの散らばりパターンを示す慣性乗積Ixy（ｘ−軸）に対する散ばり（ｙ−軸）を示すグラフである。
【図３０】慣性乗積Ixyが１００ｇ−ｃｍ２ずつ増加する異なる９点のヒット位置における散ばりの変化を示すゴルフクラブのフェースの図である。
【図３１】ゴルフクラブの打球プレートに対するオフセンターヒール打球からの垂直方向の力に関する慣性乗積Ixz の効果を示す図である。
【図３２】ゴルフクラブの打球プレートに対するオフセンタートオ打球からの垂直方向の力に関する慣性乗積Ixz の効果を示す図である。
【図３３】ゴルフクラブの打球プレートに対するオフセンターヒール打球からのクローズする力に関する慣性乗積Ixz の効果を示す図である。
【図３４】ゴルフクラブの打球プレートに対するオフセンタートオ打球からのオープンにする力に関する慣性乗積Ixz の効果を示す図である。
【図３５】慣性乗積Ixz（ｘ−軸）に対する距離（ｙ−軸）を示すグラフである。
【図３６】慣性乗積Ixzが１００ｇ−ｃｍ２ずつ増加する異なる９点のヒット位置における距離の変化を示すゴルフクラブのフェースの図である。
【図３７】散ばりの散らばりパターンを示す慣性乗積Ixz（ｘ−軸）に対する散ばり（ｙ−軸）を示すグラフである。
【図３８】慣性乗積Ixzが１００ｇ−ｃｍ２ずつ増加する異なる９点のヒット位置における散ばりの変化を示すゴルフクラブのフェースの図である。
【図３９】重心を通るＸ軸とＹ軸により４つの象限に区分された本発明のゴルフクラブヘッドの上面図である。
【図４０】重心を通るＸ軸とＺ軸により４つの象限に区分された本発明のゴルフクラブヘッドのトオ側視図である。
【図４１】重心を通るＹ軸とＺ軸により４つの象限に区分された本発明のゴルフクラブヘッドの正面図である。
【図４２】重心を通るＹ軸とＺ軸により４つの象限に区分され第I象限に重り部材を有している本発明のゴルフクラブヘッドの正面図である。
【図４３】重心を通るＹ軸とＺ軸により４つの象限に区分され第II象限に重り部材を有している本発明のゴルフクラブヘッドの正面図である。
【符号の説明】
２０  ゴルフクラブヘッド
２２  ボディ
２４  クラウン
２６  フェース
２８  ソール
リボン  ３０
３８  ホーゼル
４０  重り部材
４０’  重り部材
４４  中空内部
【図１】
0004188017.tif 000009
【図２】
0004188017.tif 000010
【図３】
0004188017.tif 000011
【図４】
0004188017.tif 000012
【図５】
0004188017.tif 000013
【図６】
0004188017.tif 000014
【図７】
0004188017.tif 000015
【図８】
0004188017.tif 000016
【図８Ａ】
0004188017.tif 000017
【図９】
0004188017.tif 000018
【図９Ａ】
0004188017.tif 000019
【図９Ｂ】
0004188017.tif 000020
【図９Ｃ】
0004188017.tif 000021
【図１０】
0004188017.tif 000022
【図１０Ａ】
0004188017.tif 000023
【図１０Ｂ】
0004188017.tif 000024
【図１１】
0004188017.tif 000025
【図１１Ａ】
0004188017.tif 000026
【図１２】
0004188017.tif 000027
【図１２Ａ】
0004188017.tif 000028
【図１２Ｂ】
0004188017.tif 000029
【図１２Ｃ】
0004188017.tif 000030
【図１２Ｄ】
0004188017.tif 000031
【図１２Ｅ】
0004188017.tif 000032
【図１３】
0004188017.tif 000033
【図１４】
0004188017.tif 000034
【図１５】
0004188017.tif 000035
【図１６】
0004188017.tif 000036
【図１７】
0004188017.tif 000037
【図１８】
0004188017.tif 000038
【図１９】
0004188017.tif 000039
【図２０】
0004188017.tif 000040
【図２１】
0004188017.tif 000041
【図２２】
0004188017.tif 000042
【図２３】
0004188017.tif 000043
【図２４】
0004188017.tif 000044
【図２５】
0004188017.tif 000045
【図２６】
0004188017.tif 000046
【図２７】
0004188017.tif 000047
【図２８】
0004188017.tif 000048
【図２９】
0004188017.tif 000049
【図３０】
0004188017.tif 000050
【図３１】
0004188017.tif 000051
【図３２】
0004188017.tif 000052
【図３３】
0004188017.tif 000053
【図３４】
0004188017.tif 000054
【図３５】
0004188017.tif 000055
【図３６】
0004188017.tif 000056
【図３７】
0004188017.tif 000057
【図３８】
0004188017.tif 000058
【図３９】
0004188017.tif 000059
【図４０】
0004188017.tif 000060
【図４１】
0004188017.tif 000061
【図４２】
0004188017.tif 000062
【図４３】
0004188017.tif 000063